(57)【要約】【課題】納骨時以外には納骨室扉を隠す役割を果たし、納骨時には、容易に納骨室扉の前方に空間を設けることが可能な墓前用香炉を実現する。【解決手段】墓前用香炉は、２つの分割体５ａと分割体５ｂとに分割可能な石製の香炉本体５と、前記各分割体を進退移動自在に支持する車輪部１０とが設けられている。【選択図】図１
2008115656.tif 000002
【特許請求の範囲】
【請求項１】
２つの分割体に分割可能な石製の香炉本体と、
前記各分割体を進退移動自在に支持する支持部材とが設けられていることを特徴とする墓前用香炉。
【請求項２】
前記香炉本体に花立が備え付けられ、前記香炉本体と前記花立とが一体化していることを特徴とする請求項１に記載の墓前用香炉。
【請求項３】
前記香炉本体は、前記香炉本体の中央部において２つの分割体に分割可能となっていることを特徴とする請求項１または２に記載の墓前用香炉。
【請求項４】
前記支持部材は、車輪部材からなっていることを特徴とする請求項１〜３の何れか１項に記載の墓前用香炉。
【請求項５】
前記香炉本体を載置する石製の香炉台が設けられていると共に、
前記香炉本体の分割体は、前記支持部材を介して前記香炉台上を進退移動自在となっていることを特徴とする請求項４記載の墓前用香炉。
【請求項６】
前記香炉台の表面には、前記各分割体を進退移動自在に遊嵌させる溝部が形成されていることを特徴とする請求項５に記載の墓前用香炉。
【請求項７】
前記香炉台の表面には、前記車輪部材を移動させるレールが設けられていることを特徴とする請求項５に記載の墓前用香炉。
【請求項８】
前記香炉台の前記溝部には、前記車輪部材を移動させるレールが設けられていることを特徴とする請求項６に記載の墓前用香炉。
【請求項９】
前記香炉本体を載置する石製の香炉台が設けられていると共に、
前記香炉台の表面には、前記各分割体を進退移動自在に遊嵌させる溝部が形成されており、
前記溝部には、上記香炉本体の下部を支持する複数の球体が並設されていることを特徴とする請求項１から３の何れか１項に記載の墓前用香炉。
【請求項１０】
前記球体はガラスからなっていることを特徴とする請求項９に記載の墓前用香炉。
【請求項１１】
前記溝部には、外部に連通する排水部が設けられていることを特徴とする請求項６、８、または９の何れか１項に記載の石製体のスライド機構。
【請求項１２】
前記各分割体の間の分割部分を覆う覆い部が形成されていることを特徴とする請求項１〜１１の何れか１項に記載の墓前用香炉。
【発明の詳細な説明】
【技術分野】
【０００１】
本発明は、墓石の前方に配置される墓前用香炉に関するものである。
【背景技術】
【０００２】
従来の墓石は、骨壷を納める納骨室の扉（納骨室扉）を塞ぐように、納骨室扉の前方に香炉や花立等がそれぞれ配置される。
【０００３】
図７は、従来の墓石を示す斜視図である。
【０００４】
図７（ａ）に示すように、従来の墓石１００は、骨壷を納める納骨室１０１と、納骨室１０１に設けられる納骨室扉１０２と、お香を焚くために設けられる香炉１０３と、花を飾るために設けられる花立１０４と、墓石本体１０５とを備えている。
【０００５】
墓石１００では、納骨時以外に、納骨室扉１０２が簡単に開けられてしまうのを防ぐために、納骨室扉１０２の前方に、香炉１０３、花立１０４等が配置されている。
【発明の開示】
【発明が解決しようとする課題】
【０００６】
しかしながら、従来の構成では、納骨時に、香炉１０３や花立１０４を他の場所に持ち運ばなければ、納骨室扉１０２を開けることが出来ず、骨壷を納めることができない。
【０００７】
また、この香炉１０３や花立１０４は石製であるため、重量が大きく、持ち運ぶのに非常に労力がかかってしまう。
【０００８】
本発明は、上記課題に鑑みてなされたものであって、その目的は、納骨時以外には納骨室扉を隠す役割を果たし、納骨時には、容易に納骨室扉の前方に空間を設けることが可能な墓前用香炉を実現することである。
【課題を解決するための手段】
【０００９】
本発明の墓前用香炉は、上記課題を解決するために、２つの分割体に分割可能な石製の香炉本体と、前記各分割体を進退移動自在に支持する支持部材とが設けられていることを特徴としている。
【００１０】
上記構成によれば、納骨時以外には、前記香炉本体を分割させずに一体化させて、納骨室扉の前方の空間を塞ぐことにより納骨室扉を隠すことができ、納骨時には、香炉本体を分割し、各分割体を上記支持部材を介してそれぞれ移動させることができる。また、各分割体は、重量の大きい石製であっても、支持部材によって容易に移動可能である。
【００１１】
このことより、納骨時において、香炉を持ち運ぶ等の労力をかけることなく、容易に納骨室扉の前方に空間を設けることができる。その結果、容易に納骨室扉を開けることできるようになる。
【００１２】
また、本発明の墓前用香炉は、前記香炉本体に花立が備え付けられ、前記香炉本体と前記花立とが一体化されていることが好ましい。
【００１３】
上記構成によれば、香炉と花立とが一体化しているため、香炉だけでなく、花立も併せて容易に移動させることができる。よって、香炉と花立とを別々に移動させる場合よりも労力をかけることなく、前記両者を移動させることができ、容易に納骨室扉の前方に空間を設けることができる。その結果、納骨室扉を容易に開けることができるようになる。
【００１４】
また、本発明の墓前用香炉は、前記香炉本体が前記香炉本体の中央部において２つの分割体に分割可能となっていることが好ましい。
【００１５】
前記香炉本体を、前記香炉本体の中央部から少しずれた位置で分割した場合には、各分割体は、互いに対称でないため、外観的に見栄えがよくないが、上記構成によれば、各分割体は互いに対称となるため外観的に見栄えがいい。
【００１６】
また、本発明の墓前用香炉は、前記支持部材が車輪部からなっていることが好ましい。
【００１７】
上記構成によれば、支持部材が車輪部であるため、より容易に、重量の大きい石製の香炉を移動させることが可能になる。
【００１８】
また、本発明の墓前用香炉は、前記香炉本体を載置する石製の香炉台が設けられていると共に、前記香炉本体の分割体は、前記支持部材を介して前記香炉台上を進退移動自在となっていることが好ましい。
【００１９】
上記構成によれば、前記香炉は、前記香炉台上を移動するため、前記香炉の移動範囲は前記香炉台上に限定される。よって、前記香炉体が分割した場合でも、各分割体を紛失する等の問題が生じにくくなる。
【００２０】
また、本発明の墓前用香炉は、前記香炉台の表面に、前記各分割体を進退移動自在に遊嵌させる溝部が形成されていることが好ましい。
【００２１】
上記構成によれば、前記支持部材は、前記溝部の内部を進退移動するため、前記香炉本体も香炉台上の前記溝部に沿って移動する。従って、前記香炉本体が、前記香炉台からはみ出すことはない。また、前記支持部材は溝部に遊嵌されているため、香炉本体は、香炉の前面−背面側方向へ転倒しにくくなり、香炉本体は安定する。
【００２２】
また、本発明の墓前用香炉は、前記香炉台の表面に前記車輪部材を移動させるレールが設けられていることが好ましい。
【００２３】
また、本発明の墓前用香炉は、前記香炉台の前記溝部に前記車輪部材を移動させるレールが設けられていることが好ましい。
【００２４】
上記構成によれば、前記車輪部材が前記レール上を円滑に移動するため、より容易に、重量の大きい石製の香炉を移動させることが可能になる。
【００２５】
また、本発明の墓前用香炉は、前記香炉本体を載置する石製の香炉台が設けられていると共に、前記香炉台の表面には、前記各分割体を進退移動自在に遊嵌させる溝部が形成されており、前記溝部には、上記香炉本体の下部を支持する複数の球体が並設されていることが好ましい。
【００２６】
上記構成によれば、前記溝部内にレール部等を設ける必要がなく、球体を備えるだけでよいため、製造に手間がかからない。また、老朽によりレール等の支持部材を交換する必要性が生じた場合でも、老朽化した球体のみを交換するだけでよいため、交換にも手間がかからない。
【００２７】
また、本発明の墓前用香炉における前記球体は、ガラスからなっていることが好ましい。
【００２８】
上記構成によれば、ガラスは、非金属であるため、雨等によって錆びるおそれもなく、長年使用することが可能となる。
【００２９】
また、本発明の墓前用香炉における前記溝部には、外部に連通する排水部が設けられていることが好ましい。
【００３０】
上記構成によれば、雨等により前記溝部内に水が入り、溝部内に水が溜まった場合でも、前記排水部により、溜まった水を外部に排出することができる。よって、溝部内に水が溜まることによって生じる球体の回転移動の低下や、鉄製のレールが錆びるのを抑制することができる。
【００３１】
また、本発明の墓前用香炉における各分割体の間には、分割部分を覆う覆い部が形成されていることが好ましい。
【００３２】
上記構成によれば、各分割体の分割部分から雨水等が香炉内に浸入するのを防ぐことができる。また、分割部分を覆うことにより、分割部分を隠すことができるため、外観の見栄えもよくなる。
【発明の効果】
【００３３】
本発明の墓前用香炉は、以上のように、２つの分割体に分割可能な石製の香炉本体と、前記各分割体を進退移動自在に支持する支持部材とが設けられているものである。
【００３４】
それゆえ、納骨時以外には納骨室扉を隠す役割を果たし、納骨時には、容易に納骨室扉の前方に空間を設けることが可能な墓前用香炉を実現することができるという効果を奏する。
【発明を実施するための最良の形態】
【００３５】
本発明の一実施形態について、図１〜図６に基づいて説明すれば、以下の通りである。
【００３６】
本実施の形態において左方向とは、香炉の前面に向かって左方向をいい、同じく右方向とは香炉の前面に向かって右の方向をいう。
【００３７】
まず、以下に、本実施の形態における墓石の全体の構成について説明する。
【００３８】
図３は、本実施の形態における墓石の概略構成を示した斜視図である。
【００３９】
本実施の形態の墓石１は、図３に示すように、墓石本体２と、骨壷を納める納骨室３と、納骨室３と外部とを連通する開口部を塞ぐ納骨室扉４と、香炉ユニット７とを有する。
【００４０】
香炉ユニット７は、納骨室扉４が簡単に開けられないようにするために、納骨室扉４の前方の位置に配置されている。
【００４１】
次に、本実施の形態における香炉ユニット７について図１及び図２を用いて詳細に説明する。
【００４２】
図１は、香炉ユニット７の概略構成を示すものであり、図１（ａ）は、香炉ユニット７の正面図である。図１（ｂ）は、香炉ユニット７の上面図である。
【００４３】
図２は、香炉ユニット７が分割した状態を示すものであり、図２（ａ）は、分割した香炉ユニット７の正面図であり、図２（ｂ）は、分割した香炉ユニット７の上面図である。
【００４４】
本実施の形態における香炉ユニット７は、図１（ａ）に示すように、香炉５や花立６等が一体化した香炉−花立ユニット１３と、香炉台９とから構成されている。
【００４５】
香炉−花立ユニット１３は、お香を焚くための石製の香炉５と、花を飾るための石製の花立６と、これらを支える石製の基台８とから構成され、図２（ａ）に示すように、２つの分割体に分割可能である。この分割された２つの分割体を分割体１３ａと分割体１３ｂとする。また、前記２つに分割された分割体１３ａ・１３ｂは接合することにより、再度一つの香炉−花立ユニット１３とすることが可能である。すなわち、香炉−花立ユニット１３は２つの分割体１３ａ・１３ｂに自由に分割することが可能であり、また、分割された２つの分割体１３ａ・１３ｂを自由に接合可能である。
【００４６】
香炉５は、正面側の面に香炉扉部１２を備え、左右両側の側壁における外部側の面にはそれぞれ花立６ａと６ｂとを備えている。香炉５は、左右両側の側壁や香炉扉部１２等によって内部に空間が形成され、この形成された空間内でお香を焚くようになっている。
【００４７】
香炉扉部１２は、観音開き型で開閉する両開き戸であり、２つの扉が閉じる位置が香炉−花立ユニット１３の略中央部に位置するようになっている。
【００４８】
また、香炉５は、２つの分割体に分割可能な香炉−花立ユニット１３の一部を構成するため、香炉−花立ユニット１３に対応して、香炉５も香炉扉部１２の閉じる位置で２つに分割可能になっている。具体的には、分割された香炉−花立ユニット１３の分割体１３ａの一部を構成する香炉部分を香炉５ａとし、分割体１３ｂの一部を構成する香炉部分を香炉５ｂとする。また、香炉５ｂの屋根部分には、香炉５ａと５ｂとに分かれる分割部分を覆う覆い部１５が設けられている。
【００４９】
花立６は、香炉５ａの側面の外側に備え付けられる花立６ａと、香炉５ｂの側面の外側に備え付けられる花立６ｂとの併称をいう。
【００５０】
基台８は、香炉５及び花立６を担持する板状の石であり、香炉５と花立６とは基台８の表面上に固定されており、香炉５と花立６と基台８とは一体化されている。また、基台８は、分割体１３ａと分割体１３ｂとに分割可能な香炉−花立ユニット１３に対応して２つに分割可能となっている。ここで、分割体１３ａの一部を構成する基台部分を基台８ａとし、分割体１３ｂの一部を構成する基台部分を基台８ｂとしている。さらに、基台８は、香炉−花立ユニット１３を移動可能に担持すべく、基台８ａの底面に２つ、基台８ｂの底面に２つの車輪部１０（車輪部材）を備えている。
【００５１】
上述したように、香炉扉部１２の閉じ位置が香炉−花立ユニット１３の略中央部であるので、前記香炉扉部１２の閉じ位置において香炉−花立ユニット１３を鉛直方向に切断することにより、香炉−花立ユニット１３を分割体１３ａと分割体１３ｂとに分割する。また、香炉−花立ユニット１３は、前記香炉扉部１２の閉じ位置において分割体１３ａと分割体１３ｂとが接合可能になっている。
【００５２】
香炉台９は、香炉−花立ユニット１３を担持する板状の石であり、香炉−花立ユニット１３は香炉台９の上に配置される。香炉台９は、表面に、香炉−花立ユニット１３の車輪部１０が左右方向に水平移動できるような溝部１１が形成されている。前記溝部１１は、香炉−花立ユニット１３の移動方向に直線状に延びた、断面形状が矩形の溝である。前記溝部１１内には、車輪部１０を円滑に滑らすレール部１４が設けられている。
【００５３】
また、香炉−花立ユニット１３は、２つの分割体を接合するための留め部を有していてもよい。これにより、納骨時等の香炉−花立ユニット１３の分割が必要な場合以外、すなわち納骨時以外に、分割体１３ａと分割体１３ｂとが勝手に分割してしまうのを防ぐことができる。
【００５４】
次に、香炉ユニット７の動作について詳細に説明する。
【００５５】
納骨する人は、納骨の際に、まず、香炉−花立ユニット１３を２つの分割体１３ａと分割体１３ｂとに分割させる。そして、分割した分割体１３ａを左方向、すなわち分割体１３ｂと離れる方向に移動させる。また、分割体１３ｂを右方向、すなわち分割体１３ａと逆の方向に移動させる。
【００５６】
この場合、分割体１３ａは、基台８ａに設けられた車輪部１０が、香炉台９に形成された溝部１１内のレール部１４上を左方向に円滑に移動することにより、左方向に移動する。
【００５７】
また、分割体１３ｂは、基台８ｂに設けられた車輪部１０が、香炉台９に形成された溝部１１内のレール部１４上を右方向に円滑に移動することにより、右方向に移動する。
【００５８】
よって、分割体１３ａは左方向に移動し、分割体１３ｂは右方向に移動するため、分割体１３ａと分割体１３ｂとの間には空間が生じる。すなわち、香炉−花立ユニット１３を２つに分割させて、それぞれ互いに異なる横方向にスライドして移動させることにより、香炉−花立ユニット１３で塞がれていた納骨室扉４の前方に空間が生じる。
【００５９】
図４は、納骨室扉の開いた状態を示す斜視図である。
【００６０】
納骨する人は、図４に示すように、この香炉−花立ユニット１３を分割することにより生じた納骨室扉４の前方の空間を突っ切って納骨室扉４を開けることができる。
【００６１】
以上のことより、本発明の香炉ユニットは、納骨時以外には、前記香炉本体を分割させずに一体化させて、納骨室扉の前方の空間を塞ぐことにより納骨室扉を隠すことができ、納骨時には、香炉本体を分割し、各分割体を上記支持部材を介してそれぞれ移動させることができる。また、各分割体は、重量の大きい石製であっても、支持部材により、容易に移動可能である。
【００６２】
このことより、納骨時において、香炉を持ち運ぶ等の労力をかけることなく、容易に納骨室扉の前方に空間を設けることができる。その結果、容易に納骨室扉を開けることできるようになる。
【００６３】
図５は、本実施の形態における香炉ユニットの変形例を示す正面図である。
【００６４】
本実施の形態では、基台８の下部に車輪部１０が備えられ、この車輪部１０を介して香炉−花立ユニット１３が香炉台９上を水平移動可能な構成となっている。しかしながら、本発明はこれに限らず、図５に示すように、基台がなく、香炉２１の下部に直接車輪部２２が備えられる香炉２１と香炉台９とから構成される香炉ユニット２０であってもよい。
【００６５】
また、本実施の形態では、香炉台９の表面に形成された溝部１１内のレール部１４を車輪部１０が移動する構成であるが、本発明は、これに限られず、香炉台の表面に溝が形成されず、表面にそのままレール部が設けられる構成であってもよい。
【００６６】
また、本実施の形態では、香炉−花立ユニット１３の略中央部で分割可能な構成となっているが、本発明はこれに限られるものではない。例えば、分割させずに香炉−花立ユニット全体を左右のどちらか一方の方向に移動させてもよいし、略中央部より少し左の位置や右の位置等で分割させてもよいが、本実施の形態のように香炉−花立ユニット１３の略中央部で分割可能な構成がより好ましい。
【００６７】
香炉−花立ユニット１３が２つの分割体に分割することにより生じる空間の香炉−花立ユニット１３の移動方向の距離は、最低でも、納骨室扉で塞がれている開口部の横幅程度は必要である。もし、仮に、香炉−花立ユニットの略中央部よりもＬだけ右側の位置で分割可能にした場合、前記開口部の横幅程度の空間を生じさせるためには、左側に位置する分割体を、分割位置が右側にずれたＬ分だけ余分に左方向に移動させる必要がある。すなわち、左側の分割体がＬだけ余分に移動可能にすべく、レール部及び溝部は左側にＬだけ長く形成する必要が生じるが、納骨室扉４の前方の位置で香炉ユニットを大きく設けることはあまり好ましくない。
【００６８】
また、略中央部で分割する方が、分割した分割体が互いに対称となるため、外観的に見栄えがよい。これらのことより、香炉−花立ユニットの略中央部で分割可能な構成にすることが好ましい。
【００６９】
また、本実施の形態では、香炉５と花立６と基台８とは一体化した構成であるが、本発明はこれに限らず、香炉５と花立６と基台８とがバラバラの別個の構成であってもよい。
【００７０】
また、本実施の形態では、基台８は、下部に車輪部１０を４つ備える構成であるが、本発明はこれに限られず、図５に示すように、香炉２１は、２つの車輪部２０を備える構成であってもよいし、もっと多数の車輪部を備える構成であってもよい。
【００７１】
また、本実施の形態では、香炉に車輪部を設ける構成としているが、香炉にレール部を設けて、溝部に複数の車輪部材を設ける構成であってもよい。
【００７２】
図６は、本実施の形態における香炉ユニットのさらに別の変形例を示す正面図である。
【００７３】
また、本実施の形態では、車輪部１０がレール部１４上を円滑に移動することにより香炉−花立ユニット１３も移動可能な構成となっているが、本発明はこれに限られない。
【００７４】
例えば、図６に示すように、溝部１１内に複数のガラス玉３２が並設され、このガラス玉３２に香炉３１の下部が載置され、ガラス玉３２が溝部１１内を回転移動することにより香炉３１が水平方向に移動可能な構成であってもよい。
【００７５】
上記構成によれば、レール部等を設ける必要がなくガラス玉を溝内に備えるだけでよいため、製造に手間がかからない。また、ガラス玉３２は、非金属であるため、雨等によって錆びるおそれもなく、長年使用することが可能となる。なお、本発明の球体は、必ずしもガラス玉に限らず、例えば、石又はセラミックでもよい。
【００７６】
また、本実施の形態では、分割体の分割部分に覆い部を設けている。この構成によれば、覆い部により、分割部分から香炉内への雨水等の浸入を防ぐことができる。
【００７７】
本実施の形態では、屋根つきの香炉を用いたが、本発明はこれに限られず、屋根のない香立てであってもよい。
【産業上の利用可能性】
【００７８】
本発明は、墓石の前方に配置される墓前用香炉に適用できる。
【図面の簡単な説明】
【００７９】
【図１】本発明における香炉ユニットの実施の一形態を示すものであって、（ａ）は、香炉ユニットの正面図であり、（ｂ）は、香炉ユニットの上面図である。
【図２】分割した上記香炉ユニットを示すものであって、（ａ）は、分割した上記香炉ユニットの正面図であり、（ｂ）は、分割した上記香炉ユニットの上面図である。
【図３】本実施の形態における墓石の概略構成を示す斜視図である。
【図４】本実施の形態における墓石の概略構成を示す斜視図である。
【図５】上記香炉ユニットの変形例を示す正面図である。
【図６】上記香炉ユニットのさらに別の変形例を示す正面図である。
【図７】従来の墓石の概略構成を示す斜視図である。
【符号の説明】
【００８０】
１      墓石
２      墓石本体
３      納骨室
４      納骨室扉
５、２１、３１      香炉
６      花立
７、２０、３０      香炉ユニット
８      基台
９      香炉台
１０、２２      車輪部（支持部材、車輪部材）
１１      溝部
１２      香炉扉部
１３      香炉−花立ユニット
１３ａ・１３ｂ    分割体
１４      レール部（レール）
１５      覆い部
３２      ガラス玉（支持部材、球体）
【図１】
2008115656.tif 000003
【図２】
2008115656.tif 000004
【図３】
2008115656.tif 000005
【図４】
2008115656.tif 000006
【図５】
2008115656.tif 000007
【図６】
2008115656.tif 000008
【図７】
2008115656.tif 000009